(57)【特許請求の範囲】
【請求項１】
あらかじめ貯蔵品の名前を記憶させた貯蔵品名等記憶装置と、前記貯蔵品名等記憶装置からデータを読み取り、前記データを表示装置に表示する表示手段と、前記表示手段にて表示されたデータの中から、所定の貯蔵品を選んで記憶装置に記憶させる入力装置と、前記表示手段にて表示されたデータの中に好みの貯蔵品のないとき、好みの貯蔵品名等を音声データにて記憶させ、前記貯蔵品名等音声記憶のある旨の表示をすることを記憶させ、前記記憶装置に記憶された所定の貯蔵品の使用予定日を前記記憶装置に記憶させる入力装置とを備え、前記記憶装置に記憶された所定の貯蔵品名および使用予定日を含む貯蔵品データを表示装置に表示し、前記貯蔵品名等音声のある旨の表示を選択することにより、入力された貯蔵品名等が音声にて再生され、
前記記憶する音声はデジタル変換にて記憶及び再生され、
前記貯蔵品データと前記貯蔵品名音声記憶のある旨の表示とは表示装置に同時に表示され、
前記表示装置の表示画面の一部に分類ラベルを表示し、前記分類ラベルの中に音声記憶のための項目を設け、
前記音声記憶のための項目が選択されると、前記表示画面の分類ラベル以外の残りの一部に、音声記憶の選択画面が表示され、
前記選択画面には、入力可能件数分の表示が表示され、音声入力できることを特徴とする冷蔵庫。
【請求項２】
あらかじめ貯蔵品の名前を記憶させた貯蔵品名等記憶装置と、前記貯蔵品名等記憶装置からデータを読み取り、前記データを表示装置に表示する表示手段と、前記表示手段にて表示されたデータの中から、所定の貯蔵品を選んで記憶装置に記憶させる入力装置と、前記表示手段にて表示されたデータの中に好みの貯蔵品のないとき、好みの貯蔵品名等を音声データにて記憶させ、前記貯蔵品名等音声記憶のある旨の表示をすることを記憶させ、前記記憶装置に記憶された所定の貯蔵品の使用予定日を前記記憶装置に記憶させる入力装置とを備え、前記記憶装置に記憶された所定の貯蔵品名および使用予定日を含む貯蔵品データを表示装置に表示し、前記貯蔵品名等音声のある旨の表示を選択することにより、入力された貯蔵品名等が音声にて再生され、
前記記憶する音声はデジタル変換にて記憶及び再生され、
前記貯蔵品データと前記貯蔵品名音声記憶のある旨の表示とは表示装置に同時に表示され、
前記表示装置の表示画面の一部に分類ラベルを表示し、前記分類ラベルの中に音声記憶のための項目を設け、
前記分類ラベルは、分類項目をイラストで表示してなり、
前記音声記憶のための項目に対応するイラストが選択され、音声入力が可能なときは、前記表示画面の分類ラベル以外の残りの一部に音声記憶の選択画面が表示され、音声入力できることを特徴とする冷蔵庫。
【請求項３】
前記音声記憶のための項目又はこの項目に対応するイラストが選択されたとき、音声記憶部の記憶容量に空きがないときは、入力できない旨の表示がされる請求項１又は２記載の冷蔵庫。
【請求項４】
前記表示装置が、タテ７３個、ヨコ１１９個のドット数の表示画面を備えた液晶表示装置であって、４個の貯蔵品データを４段に表示するものである請求項１〜３のいずれかに記載の冷蔵庫。
【請求項５】
あらかじめ貯蔵品の名前を記憶させた前記データは、所定の分類項目毎に貯蔵品群が分類されてリストされた分類別リストであり、前記分類別リストの分類項目若しくは所定の分類項目内に、文字や記号等の画像にて音声を入力できる旨の表示を設け、前記表示を選択することにより、音声入力可能となることを特徴とする請求項１〜４のいずれかに記載の冷蔵庫。
【請求項６】
前記使用予定日の所定の日前若しくは前記使用予定日、または前記各々の何れかの日の所定時刻になったとき、音声データを含む貯蔵品データを表示するか、若しくは、使用予定日に該当する貯蔵品データの少なくとも一部を変化させて前記貯蔵品データを表示するか、または、該当する音声データは音声にてすくなくとも再生することを特徴とする請求項１〜５のいずれかに記載の冷蔵庫。
【請求項７】
前記貯蔵品データの表示のとき、その日に使用予定日が設定されていると、該当する貯蔵品データの貯蔵品名を含む少なくとも一部を表示の先頭に表示するか、または、貯蔵品名を含む少なくとも一部の該当する貯蔵品データをのみ表示するか、若しくは、前記各々のその日の使用予定日に該当する表示の少なくとも一部を変化させて表示するか、または、音声データは音声にてすくなくとも再生することを特徴とする請求項１〜６のいずれかに記載の冷蔵庫。
【請求項８】
前記使用予定日の所定の日前若しくは前記使用予定日、または前記各々の何れかの日の所定時刻になったとき、使用予定日に該当する貯蔵品データの貯蔵品名を含む少なくとも一部を表示の先頭に表示するか、または、貯蔵品名を含む少なくとも一部の該当する貯蔵品データをのみ表示するか、若しくは、前記各々の使用予定日に該当する表示の少なくとも一部を変化させて表示するか、または、音声データは音声にてすくなくとも再生することを特徴とする請求項１〜７のいずれかに記載の冷蔵庫。
【発明の詳細な説明】
【０００１】
【発明の属する技術分野】
本発明は、表示装置をもつ冷蔵庫に関するものである。
【０００２】
【従来の技術】
従来この種の冷蔵庫は、特開平１１−３１６０７６号公報に、食品に付された食品名、賞味期限等の食品管理情報を示すバーコードを、食品の出し入れに対応してバーコード読取装置で読み取り、読み取った前記食品管理情報を記憶装置に記憶させ、賞味期限、優先順位等を判断装置により判断させ、記憶判断された前記食品管理情報を随時表示装置により表示させると共に、賞味期限の到来した食品や残存する同一種類の食品中古い食品の先出しを喚起する情報を表示装置に表示し、前記期限到来食品もしくは古い食品は警報装置により警報するものがある。
【０００３】
【発明が解決しようとする課題】
前記のような冷蔵庫では、食品管理情報を表示するのみであり機能項目も少なく、また、貯蔵された食品の賞味期限の順に表示し、その期限の到来を警報するのみで、使用する時期の具体的表示がないため、計画的使用を促すことなく、場合によっては、賞味期限近くになって、あわてて使わなければならなくなり、栄養学的にも貧しい無計画な食生活となる可能性が増し、また、食品が多品目になるとその表示数が増え、見にくいばかりでなく表示装置が大きくなり、コスト的にも非常に高くつくという課題がある。
【０００４】
さらには、バーコード入力手段を用いるには、大掛かりな装置が必要であり、しかも、貯蔵品を扱う全ての業者のバーコードを実際の貯蔵品名に表示しなおすには、多大の解析データや装置が必要であり、現時点では実用面に無理があるという課題がある。
【０００５】
【課題を解決するための手段】
本発明の冷蔵庫は前記のような課題を解決したもので、本発明の冷蔵庫は、あらかじめ貯蔵品の名前を記憶させた貯蔵品名等記憶装置と、前記貯蔵品名等記憶装置からデータを読み取り、前記データを表示装置に表示する表示手段と、前記表示手段にて表示されたデータの中から、所定の貯蔵品を選んで記憶装置に記憶させる入力装置と、前記表示手段にて表示されたデータの中に好みの貯蔵品のないとき、好みの貯蔵品名等を音声データにて記憶させ、前記貯蔵品名等音声記憶のある旨の表示をすることを記憶させ、前記記憶装置に記憶された所定の貯蔵品の使用予定日を前記記憶装置に記憶させる入力装置とを備え、前記記憶装置に記憶された所定の貯蔵品名および使用予定日を含む貯蔵品データを表示装置に表示し、前記貯蔵品名等音声のある旨の表示を選択することにより、入力された貯蔵品名等が音声にて再生され、前記記憶する音声はデジタル変換にて記憶及び再生され、前記貯蔵品データと前記貯蔵品名音声記憶のある旨の表示とは表示装置に同時に表示され、前記表示装置の表示画面の一部に分類ラベルを表示し、前記分類ラベルの中に音声記憶のための項目を設け、前記音声記憶のための項目が選択されると、前記表示画面の分類ラベル以外の残りの一部に、音声記憶の選択画面が表示され、前記選択画面には、入力可能件数分の表示が表示され、音声入力できることを特徴とするものである。
【０００６】
また、本発明の冷蔵庫は、あらかじめ貯蔵品の名前を記憶させた貯蔵品名等記憶装置と、前記貯蔵品名等記憶装置からデータを読み取り、前記データを表示装置に表示する表示手段と、前記表示手段にて表示されたデータの中から、所定の貯蔵品を選んで記憶装置に記憶させる入力装置と、前記表示手段にて表示されたデータの中に好みの貯蔵品のないとき、好みの貯蔵品名等を音声データにて記憶させ、前記貯蔵品名等音声記憶のある旨の表示をすることを記憶させ、前記記憶装置に記憶された所定の貯蔵品の使用予定日を前記記憶装置に記憶させる入力装置とを備え、前記記憶装置に記憶された所定の貯蔵品名および使用予定日を含む貯蔵品データを表示装置に表示し、前記貯蔵品名等音声のある旨の表示を選択することにより、入力された貯蔵品名等が音声にて再生され、前記記憶する音声はデジタル変換にて記憶及び再生され、前記貯蔵品データと前記貯蔵品名音声記憶のある旨の表示とは表示装置に同時に表示され、前記表示装置の表示画面の一部に分類ラベルを表示し、前記分類ラベルの中に音声記憶のための項目を設け、前記分類ラベルは、分類項目をイラストで表示してなり、前記音声記憶のための項目に対応するイラストが選択され、音声入力が可能なときは、前記表示画面の分類ラベル以外の残りの一部に音声記憶の選択画面が表示され、音声入力できることを特徴とする。
【０００７】
前記音声記憶のための項目又はこの項目に対応するイラストが選択されたとき、音声記憶部の記憶容量に空きがないときは、入力できない旨の表示がされるようにするのが好ましい。
【０００８】
また、小さな表示画面であっても見やすくする観点から、前記表示装置として、タテ７３個、ヨコ１１９個のドット数の表示画面を備えた液晶表示装置を用い、４個の貯蔵品データを４段に表示するようにするのが好ましい。
【０００９】
さらに、本発明の冷蔵庫は、あらかじめ貯蔵品の名前を記憶させた前記データは、所定の分類項目毎に貯蔵品群が分類されてリストされた分類別リストであり、前記分類別リストの分類項目若しくは所定の分類項目内に、文字や記号等の画像にて音声を入力できる旨の表示を設け、前記表示を選択することにより、音声入力可能となることを特徴とするものである。
【００１０】
さらにまた、本発明の冷蔵庫は、前記使用予定日の所定の日前若しくは前記使用予定日、または前記各々の何れかの日の所定時刻になったとき、音声データを含む貯蔵品データを表示するか、若しくは、使用予定日に該当する貯蔵品データの少なくとも一部を変化させて前記貯蔵品データを表示するか、または、該当する音声データは音声にてすくなくとも再生することを特徴とするものである。
【００１１】
また、本発明の冷蔵庫は、前記貯蔵品データの表示のとき、その日に使用予定日が設定されていると、該当する貯蔵品データの貯蔵品名を含む少なくとも一部を表示の先頭に表示するか、または、貯蔵品名を含む少なくとも一部の該当する貯蔵品データをのみ表示するか、若しくは、前記各々のその日の使用予定日に該当する表示の少なくとも一部を変化させて表示するか、または、音声データは音声にてすくなくとも再生することを特徴とするものである。
【００１２】
そして、本発明の冷蔵庫は、前記使用予定日の所定の日前若しくは前記使用予定日、または前記各々の何れかの日の所定時刻になったとき、使用予定日に該当する貯蔵品データの貯蔵品名を含む少なくとも一部を表示の先頭に表示するか、または、貯蔵品名を含む少なくとも一部の該当する貯蔵品データをのみ表示するか、若しくは、前記各々の使用予定日に該当する表示の少なくとも一部を変化させて表示するか、または、音声データは音声にてすくなくとも再生することを特徴とするものである。
【００１４】
【発明の実施の形態】
以下本発明による冷蔵庫の実施の形態を図面とともに説明する。
【００１５】
図１は本発明の冷蔵庫の機能ブロック図、図２は本発明の冷蔵庫の外観図、図３は本発明の冷蔵庫の表示パネル部の拡大図、図４は図３の表示画面が食品メモ画面となったときの図、図５は図３の表示画面においてメモする食品等を分類別に表示するとともに食品等を選択するときの食品入力画面の図、図６は図５の表示画面において選んだ食品等の使用予定日を入力するときの使用予定日入力画面の図、図７は図５の表示画面において選んだ食品名等と使用予定日を貯蔵品データとして入力するときの貯蔵品データ入力画面の図、図８は図４の表示画面においてメモした食品等を消去するときの食品消去画面の図、図９は本発明の分類された食品の分類別リスト例の図、図１０は図５でボイスメモの項目を選択したときのボイスメモ選択入力画面の図、図１１はボイスメモを入力するためのボイスメモ入力画面の図、図１２は本発明の冷蔵庫の機能フローチャート図である。
【００１６】
図１において、１は入力装置、２はあらかじめ食品の名前等を記憶させた貯蔵品名等記憶装置、３は選ばれた食品や入力された使用予定日や音声等を記憶する記憶装置、４は年や月や日時等の時刻をカウントするタイマー、５は前記入力装置１や貯蔵品名等記憶装置２や記憶装置３やタイマー４からの情報を入力状態に応じて処理をして出力装置６に表示や録音再生等させるための中央演算装置、７は前記貯蔵品名等記憶装置２や記憶装置３やタイマー４や中央演算装置５をまとめた表示や音声入出力や制御等のための表示・制御等装置で、前記表示・制御等装置７またはその各々は例えば、マイクロコンピュータ等からなっている。
【００１７】
図２において、８は冷蔵庫本体で、冷蔵室９、野菜室１０、製氷室１１、冷凍室１２、冷凍室１３をもち、各室の前方には断熱扉が設けられており、１４は冷蔵室扉である。また、１５は前記冷蔵室扉１４に設けられた入力部等をもつ表示パネル部である。また、９ａは前記冷蔵室９の室内にある冷蔵庫本体８の運転状態や前記表示パネル部１５の表示を入り切りする等の制御のための入力部等をもつパネル部である。
【００１８】
図３において、１６は表示画面（例えば：液晶表示方式）、１７は前記表示画面１６の各々に表示された項目の操作に関連するする操作部、１８は初期画面に戻すための初期画面用操作部、１９は一回押す度に一つ前の画面に戻すための画面戻し操作部、２０は運転モード表示操作部、２１は留守節電切替操作部、で表示パネル部１５にある。また、前記表示パネル部１５は、音声を収録するためのマイクロフォン２２、スピーカー２３、をもっている。
【００１９】
なお、前記操作部１７、初期画面用操作部１８、画面戻し操作部１９、運転状態表示モード操作部２０、留守節電切替操作部２１、マイクロフォン２２は図１の入力装置１の一部である。また、前記出力装置６は表示装置６ａや音声出力装置６ｂ等からなり、スピーカー２３は中央演算装置５につながる前記音声出力装置６ｂの一部となっている。そして、前記表示画面１６は前記表示装置６ａの一部であり、表示装置６ａは他に表示のための電子回路や光源等（いずれも不図示）をもっている。
【００２０】
そして、前記各々の操作部は、電子基板（不図示）上に電気的に接続されたＯＮ−ＯＦＦ入力装置（例えば：タクトスイッチ）（不図示）を設け、その前面を取付け枠をかねた成形物（不図示）で覆い前記電子基板を取り付け、さらに、その前面を樹脂フィルムで形成されたカバー１５ａで覆い、電気的にＯＮ−ＯＦＦ可能にしてある。
【００２１】
冷蔵庫本体８の電源を始めて入れると、表示画面１６の表示部分１６ａ（図３のような画面で食品メモと記載の部分）が「時刻合わせ」と表示されており、その右横の操作部１７を押すと、図１における貯蔵品名等記憶装置２から中央演算装置５が読み取り、時刻合わせモードとなり、前記表示画面１６の表示は時刻合わせの表示状態となる。そして、現在の時刻に入力を完了すると、前記表示画面１６は図３に示す初期画面の状態に表示される。なお、停電や引越しで冷蔵庫本体８の電源が長時間切れたときは、前記同様の時刻合わせが必要となる。
【００２２】
そして、運転状態を見たいときは、前記運転状態表示モード操作部２０を押すと、運転状態の表示モードとなり、前記表示画面１６の表示は運転状態の表示状態となり、冷蔵室９や冷凍室１２、１３の室温や、冷却状態が適温か高温か冷蔵室が冷え過ぎているかを、各室に設けられた検知装置で各室温を検知し、あらかじめ設定された各室の適温に対し高温か低温かを比較手段（例えばマイクロコンピュータ）で比較し、検知温度とともに比較結果を前記表示画面１６に表示する。
【００２３】
また、長期に家族で旅行する等で家をあけるときは、留守節電切替操作部２１を押すと、留守節電切替モードとなり、前記表示画面１６は「留守節電モード」と表示され、所定の時間（例えば：３０秒）後に節電のため画面が消え、冷蔵庫本体８は節電モード（例えば：冷凍室温度＝−１５℃、冷蔵室温度＝５℃）に制御手段（例えばマイクロコンピュータ）で運転を制御されようになる。そして、留守節電切替モードにしたとき、前記表示画面１６の表示部１６ａの位置に「キャンセル」と表示された右側の操作部１７を押すと、前記切替のための切替モードが解除される。
【００２４】
なお、前記節電モードは冷蔵室９内に設けられた前記パネル部９ａに、前記のような節電モードを解除するための解除兼用操作部を設け、冷蔵室扉１４を開けて前記解除兼用操作部を押し、留守節電モードを解除するようにしてある。
【００２５】
また、図３の前記表示画面１６の「伝言」と表示された右側の操作部１７を押すと、伝言録音再生モードになり、表示画面１６は伝言用画面となる。そして、前記表示画面１６には伝言件数に合わせた各伝言番号や、伝言が記録された日時が表示され、「聞く」と表示された右側の操作部１７を押すと、所定の時間（例えば１０秒）再生準備のため経過した後、自動的に録音された伝言等が再生されスピーカー２３から聞こえるようになる。
【００２６】
また、伝言が数件あり、数件目の伝言を聞きたい場合は、前記再生準備時間（例えば１０秒）の経過の途中で、表示画面１６に「次へ」と表示された右側の操作部１７を押すと、押すたびに伝言番号の表示状態が順次変化（例えば：黒文字から白抜き文字に変化）する。そして、聞きたい伝言番号の表示状態を変化（例えば：黒文字から白抜き文字に変化）させると、再生準備時間（例えば１０秒）の経過後、変化させた伝言番号の伝言等が自動的に再生されスピーカー２３から聞こえるようになる。
【００２７】
また、前記のような伝言等を消去したいときは、前記「次へ」と表示された右側の操作部１７を押し、消去したい伝言番号の表示状態を変化させた後、表示画面１６に「消去」と表示された右側の操作部１７を押すと、表示画面１６に「消去しますか？」と表示される。そして、表示画面１６に「はい」と表示された右側の操作部１７を押すと、録音されていた伝言等が消去される。なお、このとき、「いいえ」と表示された右側の操作部１７を押すと、録音されている伝言等はそのまま残る。
【００２８】
そして、録音したいときは、図３の前記表示画面１６の「伝言」と表示された右側の操作部１７を押し、伝言録音再生モードにして表示画面１６を伝言用画面にし、「録音」と表示された右側の操作部１７を押す。その後、表示画面１６には「メッセイジをどうぞ」と表示され、表示画面１６に「スタート」と表示された右側の操作部１７を押し、マイク２２に向かって話すと、伝言等が録音される。なお、伝言等の録音可能件数は４件で、各々８秒までの録音が可能となっている。
【００２９】
また、タイマーとして使用したいときは、図３の前記表示画面１６の「タイマー」と表示された右側の操作部１７を押すと、タイマー使用モードになり、表示画面１６はタイマー時間設定画面となる。そして、所定の時間を「１０分」や「１分」と表示された右側の操作部１７を押し、所定の時間に設定し、「スタート」と表示された右側の操作部１７を押すと、カウントが開始され、表示画面１６に残り時間が表示される。そして、設定された所定時間になると、スピーカー２３から終了音が鳴る。なお、前記の設定時間は９９分までで、１分刻みに設定できるようになっている。
【００３０】
そして、食品メモの内容を確認したり食品メモに食品名等や使用予定日を入力したり消去するときは、前記表示画面１６の表示部分１６ａ（食品メモと記載の部分）の右横の操作部１７を押すと、図１における記憶装置３から中央演算装置５が読み取り、表示画面１６は図４のような食品メモ画面になる。
【００３１】
なお、表示画面１６を前記初期画面に戻したいときは、初期画面用操作部１８を押し、一つ前の画面に戻したいときは、画面戻し操作部１９を押す。
【００３２】
図４において、本図はすでに食品等をメモした後の表示画面１６の表示状態であり、食品等を一度もメモしたことがない場合は、カレーや枝豆などの食品名等や使用予定日等の貯蔵品データの表示はない。
【００３３】
そして、食品等をメモしたいときは、表示画面１６に「新規」と表示された右横の操作部１７（図３に図示）を押すと、図１における貯蔵品名等記憶装置２から中央演算装置５が読み取り、表示画面１６に図５のような食品入力画面が表示される。
【００３４】
図５において、表示画面１６に「分類」と表示された右横の操作部１７（図３に図示）を押すと、表示画面１６の上部に表示された複数個の種類（例えば５種類）の分類ラベル部１６ｂの表示状態が順次変化（例えば：表示マークが黒塗りから白抜きに変わる）し、表示画面１６の食品等表示部１６ｃに各々の分類に応じた食品名が複数個（例えば８種類）表示される。
【００３５】
そして、表示画面１６に「選ぶ」と表示された右横の操作部１７（図３に図示）を押すと、前記食品等表示部１６ｃの複数個の食品名の表示状態が順次変化（例えば：貯蔵品名が黒文字から白抜き文字に変化）する。
【００３６】
そのため、使用者が食品名を食品メモ画面にメモするときは、表示画面１６に「分類」と表示された右横の操作部１７（図３に図示）を押して、分類ラベル部１６ｂの表示状態を順次変化させ、その都度、各々の分類に応じて食品等表示部１６ｃに表示される複数の食品名を読み、必要な食品名が表示されておれば、次に、表示画面１６に「選ぶ」と表示された右横の操作部１７（図３に図示）を押し、食品名の表示状態を順次変化させてメモする食品名を変化（例えば：食品名が黒文字から白抜き文字に変化）させるようにする。
【００３７】
前記の操作によって、メモに必要な食品名の表示状態を変化（例えば：食品名が黒文字から白抜き文字に変化）させ、次に、表示画面１６に「入力」と表示された右横の操作部１７（図３に図示）を押すと、表示状態を変化させた前記食品名（例えば：エビ）の選択が完了し、図１における貯蔵品名等記憶装置２から中央演算装置５が読み取り、表示画面１６に図６のような使用予定日入力画面が表示される。
【００３８】
図６において、本図は９月２８日［木曜日］に前記の入力操作をしたときの図で、食品名のメモ入力する日にあわせ、前記タイマー４からその時の年月日等を読み取り、表示画面１６に月日や曜日を表示するとともに、前記記憶装置３に前記入力データとともに入力日として前記年月日等が記憶される。
【００３９】
そして、表示画面１６に「＋１日」と表示された右横の操作部１７（図３に図示）を数回押すと、日数表示部１６ｄに数値が押した数だけ増加して表示され、表示画面１６に「−１日」と表示された右横の操作部１７（図３に図示）を数回押すと、日数表示部１６ｄに数値が押した数だけ減少して表示される。また、前記操作部１７を押したままにすると、前記数値が自動的に増減して日数表示部１６ｄに表示される。
【００４０】
前記操作により、何日後に使用するか（例えば：６日後）を日数表示部１６ｄにその数値を表示させ所定の時間（例えば：３秒）操作を止めると、図７のような貯蔵品データ入力画面になる。なお、再び前記「＋１日」や「−１日」と表示された右横の操作部１７（図３に図示）を押すと、数値が増減して日数表示部１６ｄに操作に応じた数値が表示される。
【００４１】
図７において、本図は使用予定日を６日後として食品名＝エビを９月２８日［木曜日］に入力したときの貯蔵品データ入力画面であり、表示画面１６に「決定」と表示された右横の操作部１７（図３に図示）を押すと、前記貯蔵品データの入力が完了され、前記記憶装置３への記憶が完了され、表示画面１６は図４のような食品メモ画面に戻り、前記貯蔵品データが追加表示（例えば：食品名＝エビ、経過日数＝０日、使用予定日＝１０／４）される。
【００４２】
なお、続けて前記のような貯蔵品データを入力したい場合は、前記同様の操作をおこない、図３のような初期画面に戻したいときは、初期画面用操作部１８（図３に図示）を押すとよい。
【００４３】
また、食品メモ画面から食品名等の貯蔵品データを消去する場合は、図３のような初期画面に戻して、図３の表示部分１６ａ（食品メモと記載の部分）の表示された右横の操作部１７を押すと、表示画面１６に図４のような食品メモ画面になる。
【００４４】
そして、図４において、表示画面１６に「選ぶ」と表示された右横の操作部１７（図３に図示）を押すと、貯蔵品データの食品名等が順次変化（例えば：黒文字から白抜き文字に変化）し、消去したい食品名等を変化させた時点で、表示画面１６に「消去」と表示された右横の操作部１７（図３に図示）を押すと、図８のような食品消去画面となる。
【００４５】
図８において、表示画面１６に「はい」と表示された右横の操作部１７（図３に図示）を押すと、表示画面１６の表示部分１６ｅが「消去しました」という表示に変化し、所定の時間（例えば３秒間）表示され、その後、前記貯蔵品データの消去が完了され、前記記憶装置３から前記貯蔵品データが消去され、表示画面１６は図４のような食品メモ画面に戻り、消去したい食品名等が消去された後の貯蔵品データが表示される。
【００４６】
そして、続けて前記のような貯蔵品データを消去したい場合は、前記同様の操作をおこない、図３のような初期画面に戻したいときは、初期画面用操作部１８（図３に図示）を押すとよい。
【００４７】
また、図８の状態において、表示画面１６に「いいえ」と表示された右横の操作部１７（図３に図示）を押すと、選ばれた貯蔵品データは消去されずに、図４のような、もとのままの食品メモ画面に戻る。
【００４８】
なお、前記で、表示画面１６に「はい」と表示された右横の操作部１７（図３に図示）を押すと、所定の時間（例えば３秒間）図８のような表示画面１６が表示され続け、その後、表示画面１６の表示部分１６ｅが「消去しました」という表示に変化し、前記貯蔵品データの消去が完了され、前記記憶装置３から前記貯蔵品データが消去され、表示画面１６は図４のような食品メモ画面に戻り、消去したい食品名等が消去された後の貯蔵品データが表示されるようにしてもよい。
【００４９】
そして、前記所定の時間（例えば３秒間）図８のような表示画面１６が表示され続けているあいだに、「いいえ」と表示された右横の操作部１７（図３に図示）を押すと、選ばれた貯蔵品データは消去されずに、図４のような、もとのままの食品メモ画面に戻るようにすると、誤って貯蔵品データを消去することをさらに防止できる。
【００５０】
図９において、本図は分類に応じた食品名の例が分類別リストとして示されており、これらは、食材別に肉類、魚介類等の項目別で８項目に分類され、各分類項目毎に８品目の食品名が表示され、６４品目が食品名として表わされている。そして、前記のような分類項目や食品名が各々のデータとして、図１の貯蔵品名等記憶装置２に記憶されており、必要に応じて表示画面１６の一部に順次表示されることになる。
【００５１】
なお、表示画面１６の一部に表示されるときは、図５のように、分類ラベル部１６ｂでの表示には前記の全ての分類項目がイラストで表示され、それらのイラストの内で表示状態が変化（表示マークが黒塗りから白抜きに変化）した分類項目（例えば魚介２）の食品名等（例えば：イカ、タコ、エビ、カニ、アサリ、シジミ、ホタテ、カキ）が食品等表示部１６ｃに表示される。
【００５２】
そのため、貯蔵品名等記憶装置２には項目別に貯蔵品名である食品名が分類されて記憶されており、ＯＮ−ＯＦＦスイッチ等の切替手段にて分類項目に応じた所定の数（例えば８品目）だけ食品名が順次表示されるため、限られたスペースの小さな表示画面１６であっても、貯蔵品名も見やすく、栄養のバランスをさらに考慮した使用予定日が設定できるようになる。さらに、分類項目の表示がイラストであるため、表示のスペースをあまり取らなく、これもまた少ないスペースでも解りやすくなっている。
【００５３】
また、分類項目を朝食用（例えば：アサリ、シジミ、豆腐、味噌、ノリ、ねぎ、納豆、玉子）、デザート（例えば：ケーキ、カステラ、シュークリーム、プリン、ヨーグルト、コーヒーゼリー、アイスクリーム、シューアイス）、や肉料理用、魚料理用、野菜類、等の主に用途別に分類してもよく、貯蔵品名が用途別に表示されるように切替手段で表示が変えられるようにしておくと、用途に応じた食品の選択が素早くでき、さらに使い勝手のよい冷蔵庫が得られる。
【００５４】
なお、図５のような食品入力画面の分類ラベル部１６ｂには、前記８項目の分類項目に加えて、ボイスメモの項目に関する表示（例えば：ボイスメモマーク）も表示されている。そして、前記ボイスメモの項目に関しても前記貯蔵品名等記憶装置２に記憶されており、ボイスメモの入出力に関するプログラムも同様に貯蔵品名等記憶装置２に記憶されている。
【００５５】
そして、図５において、表示画面１６に「分類」と表示された右横の操作部１７（図３に図示）を押して、表示画面１６の上部に表示された分類ラベル部１６ｂにおけるボイスメモの項目部分（例えば：分類ラベル部１６ｂ右端のマーク）の表示状態を変化（例えば：表示マークが黒塗りから白抜きに変わる）させると、図１における貯蔵品名等記憶装置２や記憶装置３から中央演算装置５が読み取り、ボイスメモに空きがあり、ボイスメモの入力可能なときは、表示画面１６の食品等表示部１６ｃに図１０のようなボイスメモ選択画面が表示される。
【００５６】
図１０において、図１０の食品等表示部１６ｃにはボイスメモ入力可能件数の数（例えば：２個）だけの表示（例えば：「ボイスメモ」と表示）が表示されており、表示画面１６に「選ぶ」と表示された右横の操作部１７（図３に図示）を押すと、図１１のようなボイスメモ入力画面になる。なお、複数個のボイスメモを区別するため、その表示に番号を加えたり異なるマーク表示にしたりすると、さらに管理がしやすくなる。
【００５７】
図１１において、表示画面１６に「スタート」と表示された右横の操作部１７（図３に図示）を押すと、表示画面１６の一部にボイスメモを録音中の旨の表示（例えば：「ボイスメモ録音中です」）がされ、録音が開始される。そして、マイク２２（図３に図示）に向かって食品等の貯蔵品の名前をいうと所定の時間（例えば：３秒間）の間だけ録音がされることになる。なお、録音時間の経過の目安として、表示画面１６の下方に、前記時間経過に相当する長さの、棒状の表示１６ｆが表示されるようになっている。
【００５８】
そして、録音が終了すると、表示画面１６にそのときの日付や時刻とともに「録音完了」と表示され、所定の時間（例えば：３秒）経過の後に図１における貯蔵品名等記憶装置２から中央演算装置５が読み取り、表示画面１６に図６のような使用予定日入力画面が表示され、その後は前記と同様に使用予定日の入力を行うこととなる。
【００５９】
このとき、図６の使用予定日入力画面や図７の貯蔵品データ入力画面の食品名表示部（図６、図７のエビと表示の部分）に、ボイスメモのある旨の内容のボイスメモ表示（例えば：図５の分類ラベル部１６ｂ右端のマークや「ボイスメモ」という文言等）が表示される。
【００６０】
そして、前記同様の操作で使用予定日の入力の後、図７の表示画面１６に「決定」と表示された右横の操作部１７（図３に図示）を押すと、ボイスメモのある前記貯蔵品データの入力が完了され、前記記憶装置３への記憶が完了し、表示画面１６は図４のような食品メモ画面に戻る。
【００６１】
なお、このとき、図４の食品名の表示部には、ボイスメモ表示（例えば：図５の分類ラベル部１６ｂ右端のマークや「ボイスメモ」という文言等）が表示され、経過日数（例えば：０日と表示）および入力された使用予定日（例えば：１０／１２）が表示される。
【００６２】
そして、図５のような食品入力画面の前記分類ラベル部１６ｂに表示の分類項目にボイスメモの項目に関する表示（例えば：ボイスメモのマーク）があり、表示画面１６に「分類」と表示された右横の操作部１７（図３に図示）を押して、ボイスメモの項目部分の表示状態を変化させると、図１０のようなボイスメモ選択画面が表示され前記のように音声が入力できるようになるため、前記図９に分類別リストとして示したような各々の分類項目にない貯蔵品名を音声にて入力が可能となり、より広範囲に自由な貯蔵品名が素早く入力できるようになり、貯蔵品管理をより簡単に効率よくできる冷蔵庫が得られる。
【００６３】
なお、前記の音声が入力できる旨の表示（例えば：ボイスメモのマーク）を、所定の分類項目（例えば：常備品２）内の食品等の表示部（例えば：ジャムと表示された部分）に表示するようにすると、分類的には少しまぎらわしくなるが、表示項目は少なくてすみ、限られた記憶容量を効率よく利用できるようになる。
【００６４】
また、図１１において、表示画面１６に「キャンセル」と表示された右横の操作部１７（図３に図示）を押すと、ボイスメモ入力を中止して図５のような食品入力画面にもどる。また、図１１で表示画面１６に「ストップ」と表示された右横の操作部１７（図３に図示）を押すと、その時点で録音動作が終了し、表示画面１６に図６のような使用予定日入力画面が表示され、その後は前記と同様に使用予定日の入力を行うことになる。
【００６５】
また、図５において、同様に、「分類」と表示された右横の操作部１７（図３に図示）を押して、ボイスメモの項目部分の表示状態を変化（例えば：表示マークが黒塗りから白抜きに変わる）させたとき、ボイスメモの設定された入力可能数（例えば：２個）の全てが使用されており、これ以上ボイスメモの入力ができないときは、図１０のような画面で、表示画面１６の食品等表示部１６ｃに、ボイスメモの入力がこれ以上できない旨の内容（例えば：「ボイスメモは使用中です。いらないメモを消去して下さい。」）が表示され、ボイスメモの入力ができないようになっている。
【００６６】
そして、ボイスメモが録音入力されているとき、図４のような食品メモ画面を表示させ、その表示画面１６に「選ぶ」と表示された右横の操作部１７（図３に図示）を押して、貯蔵品データの食品名等を順次変化（例えば：黒文字から白抜き文字に変化）させて、表示されたボイスメモ表示（例えば：図５の分類ラベル部１６ｂ右端のマーク等）の表示状態を変化（例えば：黒文字から白抜き文字に変化）させたときは、録音されたボイスメモの内容が、スピーカー２３から音声として再生される。
【００６７】
そのため、貯蔵品名等音声記憶のある旨の前記ボイスメモ表示の表示状態を選択して変化させると、録音された貯蔵品名等が音声にて再生され、簡素な表示で貯蔵内容がわかり、表示に必要な表示装置の表示部の面積も少なくてすむ。
【００６８】
また、あらかじめ貯蔵品名等記憶装置２に記憶させたデータを表示画面１６に表示させて、図９に示されたような食品の分類別リストに好みの食品名等の貯蔵品名等がない場合等は、音声にて貯蔵品名等を入力して、ボイスメモで自由に好みの貯蔵品名を記憶させることができるため、いっそう幅広い貯蔵品の管理ができるようになる。
【００６９】
しかも、ボイスメモ表示を図４のような食品メモ画面に表示させ、貯蔵品名等音声記憶であるボイスメモがある旨の表示（例えば：図５の分類ラベル部１６ｂ右端にあるようなマークや「ボイスメモ」という文言等）を表示画面１６に表示させるため、音声で記憶されたボイスメモのあることが一目でわかり、前記ボイスメモ表示部を選ぶと、音声にて前記貯蔵品名等を再生させることができ、さらに、貯蔵品の管理が容易となる。
【００７０】
そして、前記によって、使用者にとって、より広範囲な自由な貯蔵品名が素早く入出力できるようになり、貯蔵品管理をより簡単に効率よくできる冷蔵庫が得られる。
【００７１】
なお、前記で食品等の貯蔵品名を音声にて記憶させボイスメモとし、その各々のボイスメモに対応して記憶のある旨の表示（例えば：マーク表示）を表示するようにして、前記各々の表示を選択することにより、入力された貯蔵品名等を音声にて再生できるようにすると、小さな表示画面で多くの貯蔵品のある旨を表示させ、音声にて認識することができるため、貯蔵品管理が小さな表示画面でも効率よくできることになる。
【００７２】
そして、前記に使用予定日をもボイスメモ表示に対応して表示できるようにすると、いつメモされた貯蔵品を使用する予定であるかがわかり易くなり、さらに計画的な食品等の貯蔵品管理ができるようになる。
【００７３】
また、食品メモにあるボイスメモを消去するときは、前記同様に、図４のような食品メモ画面にして、表示画面１６に「選ぶ」と表示された右横の操作部１７（図３に図示）を押して、貯蔵品データの食品名等を順次変化（例えば：黒文字から白抜き文字に変化）させ、消去したい前記ボイスメモ表示を変化させた時点で、表示画面１６に「消去」と表示された右横の操作部１７（図３に図示）を押すと、図８のような食品消去画面となる。
【００７４】
そして、その後、表示画面１６に「はい」と表示された右横の操作部１７（図３に図示）を押すと、前記ボイスメモの消去ができる。なお、前記で、図８の食品名の表示部（牛肉と表示の部分）には、ボイスメモ表示（例えば：図５の分類ラベル部１６ｂ右端のマーク等）が表示され、前記ボイスメモに関連する図８に表示のような貯蔵品データが表示されている。
【００７５】
つぎに、図１２に示すフローチャートを参照しながら本実施例の図４にあるような食品メモ画面の食品名等（ボイスメモを含む）と使用予定日の表示等（録音再生を含む）について説明する。
【００７６】
電源を投入すると、あらかじめマイクロコンピュータ内に組み込まれたプログラムにより、タイマー４を初期状態に戻してステップＳ１に移る。そして、ステップ１で時刻設定がおこなわれると、図３のような初期画面になる。
【００７７】
その後、図３における表示画面１６の「食品メモ」と表示された右横の操作部１７を押すと、ステップＳ２で、貯蔵品データ表示ボタンをＯＮの信号を受けてステップＳ３に進む。ステップＳ３で食品名等に使用予定日が有るかどうかの判断をし、使用予定日があればステップＳ４に進む。そして、ステップＳ４で前記使用予定日が１０日以上過ぎているかどうかを判断し、前記使用予定日が１０日以上過ぎていると、ステップＳ５に進み前記食品名等の貯蔵品データを記憶装置３から削除して、ステップＳ６に進む。
【００７８】
次にステップＳ６で他に食品名等が記憶装置３に貯蔵品データとして記憶されているかどうかを判断し、他に食品名等が記憶されておれば、ステップＳ３に戻る。また、ステップ６で今まで調べた貯蔵品データの他に貯蔵品データが記憶されていなければステップＳ７に進み、記憶装置３に記憶された最終の貯蔵品データを記憶装置３から読み出し、記憶内容に応じ、食品メモとして表示装置６ａにある表示画面１６に表示したり、ボイスメモを再生の準備や再生をしたりする。
【００７９】
また、ステップＳ３で食品名等に使用予定日が有るかどうかの判断をし、使用予定日がなければステップＳ８に進み、前記食品名等が記憶されてから１９９日以上過ぎているかどうかを判断し、前記使用予定日が１９９日以上過ぎていると、ステップＳ５に進み、その後は前記同様のフローチャートをたどる。
【００８０】
ステップＳ８で、前記使用予定日が１９９日以上過ぎていないと、ステップＳ９に進み、通常の表示状態に表示するように、前記貯蔵データを記憶装置３に記憶し、ステップＳ６に進み、その後は前記同様のフローチャートをたどる。
【００８１】
ステップＳ４で、ステップＳ３で判断した食品等の使用予定日が１０日以上過ぎているかどうかを判断し、前記使用予定日が１０日以上過ぎていないと、ステップＳ１０に進む。その後、ステップＳ１０で前記食品等の使用予定日を過ぎているかどうかを判断し、使用予定日を過ぎていると、ステップＳ１１に進み、ステップＳ１１で食品名等の後に×印を付け表示を変化（例えば：黒文字から白抜き文字に変化）させて表示するように前記貯蔵データを記憶装置３に記憶する。そして、次にステップＳ６に進み、その後は前記同様のフローチャートをたどる。
【００８２】
ステップＳ１０で、前記食品等の使用予定日を過ぎているかどうかを判断し、使用予定日を過ぎていないと、ステップＳ１２に進み、前記使用予定日の前日（１日前）であるかどうかを判断して、使用予定日の前日であれば、ステップＳ１３に進む。
【００８３】
また、ステップＳ１２で、前記使用予定日の前日であるかどうかを判断して、使用予定日の前日でないならば、ステップＳ９に進み、その後は前記同様のフローチャートをたどる。
【００８４】
そして、ステップＳ１３でボイスメモであるかどうかを判断し、ボイスメモでないと、ステップＳ１４に進み、該当する食品名等の使用予定日の表示を変化（例えば：黒文字から白抜き文字に変化）させて表示するようにして前記貯蔵品データを記憶装置３に記憶し、ステップＳ６に進み、その後は前記同様のフローチャートをたどる。
【００８５】
また、ステップＳ１３でボイスメモであるかどうかを判断し、ボイスメモであると、ステップＳ１５に進み、該当するボイスメモの使用予定日の表示を変化（例えば：黒文字から白抜き文字に変化）させて表示するようにして前記貯蔵品データを記憶装置３に記憶し、ステップＳ１６に進む。
【００８６】
そして、ステップＳ１６で、録音された前記の該当するボイスメモの録音された内容が、スピーカー２３から音声として再生されるように、前記貯蔵データを記憶装置３に記憶し、ステップＳ６に進む。
【００８７】
そのため、図３のような初期画面にして表示画面１６の「食品メモ」と表示された右横の操作部１７を押すと、前記フローチャートをたどり、貯蔵品データをその時ごとに経過状況にあったデータに書き換えた後に記憶装置３に記憶し、表示画面１６に表示したりボイスメモの録音を再生したりするよう表示・再生することになる。
【００８８】
これにより、貯蔵品データを表示のとき、使用予定日の前日になると、事前に入力された、該当する食品名の使用予定日が変化して表示されたり、該当するボイスメモの使用予定日が変化して表示されたり、さらには、該当するボイスメモの録音内容が再生されるため、あらかじめ貯蔵品の計画された使用時期がわかるとともに、栄養のバランスを考慮した食生活の計画が立てやすく、表示された貯蔵品のデータを見たり録音された食品名等を聞いたりすることにより、貯蔵品の使用忘れが少なくなる。
【００８９】
また、前記でステップＳ１６をなくすと、図３のような初期画面にして表示画面１６の「食品メモ」と表示された右横の操作部１７を押すと、単に表示画面１６に貯蔵品データを記憶どおり表示して、使用予定日の前日となった食品等があると、その使用予定日を変化させて表示するのみとなる。
【００９０】
これもまた、入力されたボイスメモの再生はないものの、前日に使用予定日が変化して表示されるため、あらかじめ貯蔵品の計画された使用時期がわかるとともに、栄養のバランスを考慮した食生活の計画が立てやすく、表示された貯蔵品のデータを見ることにより、貯蔵品の使用忘れが少なくなる。
【００９１】
さらに、前記でステップＳ２で所定の設定時刻（例えば：午後９時）になると、それ以後のフローが前記同様のフローをたどるようにすると、使用予定日の前日の所定設定時刻（例えば：午後９時）に、該当する食品等の表示状態が変化して表示され、ボイスメモで該当するものがあれば音声にて再生されるため、翌日使用予定の食品等の確認が自動的にできて貯蔵品等の使い忘れの可能性がさらに減少する。
【００９２】
なお、前記は使用予定日の前日（１日前）になると、前記のような経過状況にあった表示・再生をするようにしてあるが、ステップＳ１２で前記使用予定日の数日前（例えば：３日前）であるかどうかを判断するように変更すると、使用予定日の数日前に前記表示・再生をするようになり、もう少し余裕をもって、使用予定の確認ができるようになる。
【００９３】
また、ステップＳ１２で前記使用予定日の日であるかどうかを判断するように変更すると、使用予定日の当日に前記表示・再生をするようになり、余裕のある確認はできなくなるが、当日に使用予定の食品などが確認でき、貯蔵品の使用忘れの可能性はさらに少なくなる。
【００９４】
そして、前記で入力された該当する使用予定日の食品等の貯蔵品データの表示を、表示の先頭に表示したり、該当する使用予定日の食品等のみの貯蔵品データを表示するようにしたり、前記表示の少なくとも一部を変化させて表示したり、音声データであるボイスメモを音声にて少なくとも再生させるようにすると、さらに該当する食品等の貯蔵品データが目立ったりしてわかり易くなり、あらかじめ貯蔵品の計画された使用時期がわかるとともに、栄養のバランスを考慮した食生活の計画が立てやすく、表示された貯蔵品のデータを見たり聞いたりすることにより、いっそう貯蔵品の使用忘れが少なくなる。
【００９５】
なお、貯蔵品データを表示させるときには、その日に使用予定日を設定された食品等があるかどうかを常にチェックし、その日に使用予定日が設定されていると、前記と同様の表示となるようにしておくと、当日の使用予定の食品等が確実にわかり、さらに貯蔵品の使用忘れが少なくなることになる。
【００９６】
また、タイマー４で時刻をカウントしているので、日付がかわるたびに前記同様の表示や録音再生のためのフローチャートをたどり、貯蔵品データにある入力された使用予定日の所定の日前（例えば：３日前）または使用予定日になったとき、または、前記の日で定められた所定時刻（例えば：午後９時）に、貯蔵品データを前記同様に表示・再生するようにすると、自動的に表示・再生するため、あらかじめ貯蔵品の計画された使用時期がわかるとともに、栄養のバランスを考慮した食生活の計画が立てやすく、表示された貯蔵品のデータを見たり聞いたりすることにより、よりいっそう貯蔵品の使用忘れが少なくなる。
【００９７】
また、定められた所定時刻（例えば：午後９時）に、貯蔵品データを前記同様に表示・再生するようにすると、毎日きまった時刻に貯蔵品データが確認でき、前記同様、いっそう貯蔵品の使用忘れが少なくなることになる。
【００９８】
なお、前記は貯蔵品データとして食品名等と使用予定日を表示するようになっているが、前記データを入力した日からの経過日数をもカウントして追加して表示するようにしてもよい。
【００９９】
また、前記表示画面に貯蔵品データを表示できる数（例えば４個）が貯蔵品データの記憶できる数（例えば３０個）より少ない場合のために、図１２のステップＳ７のところを、表示された図４のような食品メモ画面で「選ぶ」と表示された右横の操作部１７を押すと、その画面に表示の貯蔵品データの食品名等の表示状態を順次変化（例えば：黒文字から白抜き文字に変化）させ、前記表示できる数（例えば４個）だけ前記操作部１７を押すと、次の食品名等が表示される食品メモ画面となるようにして、前記記憶装置３に記憶された書き換え後の貯蔵品データを表示できる数（例えば４個）ずつ順次読み出し、表示画面１６に切替装置にて順次切り替えて表示するようにすると、小さな表示画面１６（例えば：ドット数（タテ＝７３、ヨコ＝１１９）の液晶表示画面）であっても、全ての貯蔵品データがたいへん読みやすい状態で順次表示できるようになる。
【０１００】
そのため、貯蔵品データで貯蔵品である食品名の使用予定日が所定の期間前（例えば１日前）になったとき、表示装置に所定の数（例えば４個）ずつ切替手段にて順次表示される全ての貯蔵品データの内の該当する食品名の使用予定日を変化（例えば：黒文字から白抜き文字に変化）して表示するように表示状態をかえることができ、切替手段にて順次所定の数だけ表示されるため、該当する貯蔵品である食品名や使用予定日が見やすい状態で事前にわかり、栄養のバランスを考慮した食生活の計画がさらに立てやすく、貯蔵品の使用忘れがさらに少なくなり、使い勝手のよい冷蔵庫が得られる。
【０１０１】
しかも、表示装置が小さくてすむため、前記表示パネル部１５の少なくとも一部が前記冷蔵室扉１４の内部に位置し、表示パネル部１５の前記内部に位置する部分に対応して前記冷蔵室扉１４の室内側の内面に突出部を設けないとき、前記冷蔵室扉１４の断熱材の厚さの薄い部分が少なくてすみ、それによる外部からの熱の侵入量が少なくてすみ、熱ロスが押さえられる。また、前記の外部からの熱の侵入をよりいっそう押さえるため、前記に該当する突出部を設けたとき、前記突出部が小さくてすみ、前記突出部による冷蔵室９内の容積の減少が押さえられ、表示パネル部１５が冷蔵室扉１４の前面から前方へ突き出る量の少ない、デザイン的にも良好で使い勝手のよい、さらにはコスト的にも有利で、実用性に富んだ冷蔵庫となる。
【０１０２】
また、表示画面１６に表示する貯蔵品データには優先順位を設け、順次表示するようにしておくと使いやすく、例えば、使用予定日を過ぎている貯蔵品データを古い順にまず表示し、使用予定日の前日の貯蔵品データを次に表示し、その後に、使用予定日の近い貯蔵品データの順に表示し、その後に、使用予定日が入ってない貯蔵品データを表示するようにしておくと、貯蔵品のデータが使用予定日の近いものから順に表示されるため、事前に使用すべき貯蔵品がさらに早くわかり、貯蔵品の使用忘れがさらに少なくなる。
【０１０３】
また、記憶された前記貯蔵品データは用途別に表示できるようにしてもよく、食品メモで用途別にメモを見たいときは、図３のような初期画面にして、表示画面１６の表示部分１６ａ（食品メモと記載の部分）の右横の操作部１７を押し、図４のような食品メモ画面にする。その後、図４の表示画面１６に「選ぶ」と表示された右横の操作部１７（図３に図示）を所定の時間（３秒以上）押すと、「用途別表示にしますか？」というような用途別表示選択画面が表示画面１６に表示される。
【０１０４】
そして、表示画面１６に「はい」と表示された部分の右横の操作部１７（図３に表示）を押すと、用途別（例えば：朝食用、デザート、肉料理用、魚料理用、野菜類、等）の表示が記憶装置３内の貯蔵品データから用途別に読み取られ、表示画面１６に表示されるようになる。なお、前記の場合、各々の貯蔵品データには用途別の分類で読み出すためのバッチが各用途別項目に対応して付けられている。
【０１０５】
また、前記で「いいえ」と表示された部分の右横の操作部１７（図３に表示）を押すと、優先順位を設けた表示というような表示となる。
【０１０６】
そのため、貯蔵品データが用途別に表示されるようにもでき、食品を使用するときの選択も用途に応じて素早くできるようになり、貯蔵品の使い忘れの少ない、さらに使い勝手のよい冷蔵庫が得られる。
【０１０７】
また、図５のような前記食品入力画面として表示画面１６に前記分類項目別や用途別に表示したり、図４のような前記食品メモ画面として表示画面１６に貯蔵品データを同様に前記分類項目別や用途別に表示したりするとき、所定の時間間隔（例えば３秒間隔）で表示装置に所定の数（例えば４個）ずつ順次表示されるようにする場合であっても、表示装置が小さくてすみ、コスト的にも有利となることは明白である。なお、前記の場合、表示画面の表示を所定の画面に止めるための操作部を設けると、さらに使い勝手のよい冷蔵庫が得られる。
【０１０８】
また、前記記憶装置３を不揮発性記憶装置（例えば：ＥＥＰＲＯＭ）を用いると、停電等で冷蔵庫本体８の電源が長時間切れたときも、記憶装置３の記憶内容は消えないため、再度貯蔵品データを入れなおす必要がなくなり、さらに使い勝手のよい冷蔵庫が得られる。
【０１０９】
なお、前記は食品名のみに限らず、薬品や化粧品等の貯蔵品に関しても、あらかじめその名前を記憶させておけば、同様の効果が得られることは明白である。
【０１１０】
また、図３の表示画面１６のような初期画面にして、運転モードボタン２０を３秒以上押し続けると、表示画面１６がボタンロック等画面となり、表示画面１６の表示部分１６ａの下の位置に「変更」という表示があらわれる。そして、他の表示画面１６の部分に「ボタンロック」・「あり」・「なし」と表示される。その後、表示部分１６ａの前記「変更」と表示された部分の右横の操作部１７（図３に表示）を押すと、前記「あり」・「なし」の表示部が、交互にその表示状態を変化（例えば：黒文字から白抜き文字に変化）させる。
【０１１１】
そして、「あり」の表示部の表示状態を変化（例えば：黒文字から白抜き文字に変化）させ、その後前記「変更」という表示部の下に表示された「決定」という表示部分の右横の操作部１７（図３に表示）を押し、初期画面用操作部１８を押すと、図３のような初期画面にもどり、前記表示部分１６ａに「ボタンロック」と表示され、表示画面１６内の部分の表示内容の操作ができなくなる。前記のようにすると、子供のいたずら防止や誤って操作部１７を押したときの入力防止に役立つ。
【０１１２】
なお、前記ボタンロックを解除するには、図３の運転モードボタン２０を３秒以上押し、表示画面１６をボタンロック等画面にして、表示部分１６ａの下の前記「変更」と表示された部分の右横の操作部１７（図３に表示）を押し、前記「なし」の表示側の表示状態を変化（例えば：黒文字から白抜き文字に変化）させた後、前記「変更」という表示部の下に表示された「決定」という表示部分の右横の操作部１７（図３に表示）を押し、初期画面用操作部１８を押すと、またもとの初期画面（図３の表示画面１６に表示の状態）にもどり、前記ボタンロックが解除されるようにする。
【０１１３】
また、冷蔵室９内に設けた前記パネル部９ａに，前記のような解除のための解除用操作部または解除を兼ねる操作部を設け、冷蔵室扉１４を開けて前記解除用操作部または前記操作部を操作し、前記のボタンロックを解除するようにしておくと、腕や体が操作部に当たり、誤って外部の操作部（例えば：操作部１７、留守節電切替操作部２１等）を押し、入力状態が変わることの防止はさらに確実なものとなる。
【０１１４】
なお、前記はボタンロックを解除するときのみに留まらず、他の運転状態等の設定を外部の操作部でおこない、その設定を変更のときには、冷蔵室９内等の貯蔵室内に設定変更を開始するための操作部を設けると、誤って外部の操作部（例えば：操作部１７、留守節電切替操作部２１等）を押し、設定状態が変わることの防止はさらに確実なものとなることは明白である。
【０１１５】
なお、運転状態等の設定をした後、前記のようなボタンロックが自動的にかかるようにして、新たに前記設定をやりなおす場合は、前記同様のボタンロックを解除するようにしてもよい。
【０１１６】
さらに、図３の運転モードボタン２０を３秒以上押し前記ボタンロック等画面にし、表示画面１６に「選ぶ」と表示された部分を表示部分１６ａの位置に表示するようにして、「選ぶ」と表示された前記表示部分１６ａの右横の操作部１７（図３に表示）を所定回数（例えば４回）押し、表示画面１６を全データ消去画面にし、「全データ消去」と表示された表示部の表示状態を変化（例えば：黒文字から白抜き文字に変化）させる。
【０１１７】
その後、前記表示画面１６に「変更」と表示された部分の右横の操作部１７（図３に表示）を押すと、「全データを消去しますか？」と表示画面１６に表示され、その後、「はい」と表示された部分の右横の操作部１７（図３に表示）を押すと、記憶装置３に入力されている全データの消去ができるようにしておくと、一度に全データが簡単に消去でき、さらに操作性の向上した冷蔵庫が得られる。
【０１１８】
なお、「全データを消去しますか？」と表示画面１６に表示されたとき、「いいえ」と表示された部分の右横の操作部１７（図３に表示）を押すと、もとの図３のような初期画面にもどり、いままで入力された全データはそのまま残るようにしておくと、安易に誤って全データを消去することが防止できる。
【０１１９】
また、前記表示パネル部１５での操作の方法は、各々の外部の操作部（例えば：操作部１７、留守節電切替操作部２１等）を押して各々の操作をおこなうようにしてあるが、タッチスイッチ構造にして、指でタッチするだけで操作が可能としてもよく、他の操作方法を用いてもよい。
【０１２０】
また、貯蔵品データ内にある貯蔵品の使用予定日が所定の期間前になったとき、または使用予定日を過ぎたとき、前記貯蔵品名に該当する使用予定日の表示を変化させて表示するようにしてもよく、前記表示の変化は、所定部を点滅や強弱の表示にさせたり、所定の表示や表示部の色を変えたり、×印やその他の警告マークや文字を追加してもよく、また、警告のための発信音や言葉を前記スピーカ２３から出してもよい。
【０１２１】
なお、前記で左右とは、冷蔵庫を正面から見て左右の方向を意味し、前後とは、冷蔵庫を正面から見て前後の方向を意味する。
【０１２２】
【発明の効果】
本発明の冷蔵庫は前記のような構成であるから、本発明によれば、食品等の貯蔵品名を音声にて記憶させ、前記記憶のある旨の表示をするようにして、前記表示を選択することにより、入力された貯蔵品名等を音声にて再生できるようにするので、小さな表示画面で多くの貯蔵品のある旨を表示させ、音声にて認識することができるため、貯蔵品管理が小さな表示画面でも効率よくできる冷蔵庫が得られる。
【０１２３】
また、本発明によれば、食品の分類別リストに、好みの食品名等の貯蔵品名等がない場合、音声にて貯蔵品名等を入力して記憶させ、前記記憶のある旨の表示をするようにして、前記表示を選択することにより、入力された貯蔵品名等を音声にて再生できるようにするので、使用者にとって、より広範囲な自由な貯蔵品名が素早く入出力できるようになり、貯蔵品管理をより簡単に効率よくできる冷蔵庫が得られる。
【０１２４】
そして、本発明によれば、貯蔵品データにある入力された使用予定日の所定の日前または使用予定日になったとき、や前記で定められた所定時刻に、貯蔵品データを所定の条件に従い自動的に表示・再生するようにするため、あらかじめ貯蔵品の計画された使用時期がわかるとともに、栄養のバランスを考慮した食生活の計画が立てやすく、表示された貯蔵品のデータを見たり聞いたりすることにより、よりいっそう貯蔵品の使用忘れが少ない冷蔵庫が得られる。
【０１２５】
そしてまた、本発明によれば、入力された該当する使用予定日の食品等の貯蔵品データの表示を、表示の先頭に表示したり、該当する使用予定日の食品等のみの貯蔵品データを表示するようにしたり、前記表示の少なくとも一部を変化させて表示したり、音声データを音声にて少なくとも再生させるようにすると、さらに該当する食品等の貯蔵品データが目立ったりしてわかり易くなり、あらかじめ貯蔵品の計画された使用時期がわかるとともに、栄養のバランスを考慮した食生活の計画が立てやすく、表示された貯蔵品のデータを見たり聞いたりすることにより、いっそう貯蔵品の使用忘れが少ない冷蔵庫が得られる。
【図面の簡単な説明】
【図１】本発明の冷蔵庫の機能ブロック図である。
【図２】本発明の冷蔵庫の外観図である。
【図３】本発明の冷蔵庫の表示パネル部の拡大図である。
【図４】図３の表示画面が食品メモ画面となったときの図である。
【図５】図３の表示画面においてメモする食品を分類別に表示するとともに食品を選択するときの食品入力画面の図である。
【図６】図５の表示画面において選んだ食品の使用予定日を入力するときの使用予定日入力画面の図である。
【図７】図５の表示画面において選んだ食品名と使用予定日を貯蔵品データとして入力するときの貯蔵品データ入力画面の図である。
【図８】図４の表示画面においてメモした食品を消去するときの食品消去画面の図である。
【図９】本発明の分類された食品の分類別リストの１実施例の図である。
【図１０】図５でボイスメモの項目を選択したときのボイスメモ選択入力画面の図である。
【図１１】本発明のボイスメモを入力するためのボイスメモ入力画面の図である。
【図１２】本発明の冷蔵庫の機能フローチャート図である。
【符号の説明】
１  入力装置
２  貯蔵品名等記憶装置
３  記憶装置
６  出力
【図１】
0003775977.tif 000002
【図２】
0003775977.tif 000003
【図３】
0003775977.tif 000004
【図４】
0003775977.tif 000005
【図５】
0003775977.tif 000006
【図６】
0003775977.tif 000007
【図７】
0003775977.tif 000008
【図８】
0003775977.tif 000009
【図９】
0003775977.tif 000010
【図１０】
0003775977.tif 000011
【図１１】
0003775977.tif 000012
【図１２】
0003775977.tif 000013